(57)【特許請求の範囲】
【請求項１】
携帯型の電子機器に用いられるストラップ取付構造において、
前記ストラップが取り付けられて、電子機器の本体部に組付けられるストラップ取付部材と、
前記ストラップによる電子機器の吊り下げ方向において、少なくとも、ストラップ取付部材が本体部から引き出される第１の位置と、ストラップ取付部材が本体部内に押し込まれる第３の位置と、この第１の位置と第３の位置の間に設定される第２の位置との間で該ストラップ取付部材が移動自在となるようにガイドするガイド手段と、
前記ストラップ取付部材を第３の位置に向けて付勢するとともに、ストラップによって吊り下げられたときの電子機器の重量に抗し得ない付勢力を有する付勢手段と、
前記付勢手段の付勢力に抗してストラップ取付部材を第１の位置で保持し、かつストラップによって電子機器が吊り下げられたときの重量に抗してストラップ取付部材を第２の位置で保持するとともに、該付勢力または電子機器の重量以上の力がストラップ取付部材に加えられたときにストラップ取付部材の保持を解除する保持手段と、
前記ストラップ取付部材が第３の位置に移動されたことを検出する第１の検出手段とを備えることを特徴とするストラップ取付構造。
【請求項２】
前記保持手段は、ストラップ取付部材に当接して第１の位置と第２の位置で保持する弾性部材からなり、この弾性部材は、付勢部材の付勢力または電子機器の重量以上の力がストラップ取付部材に加えられたときに弾性変形して、ストラップ取付部材の保持を解除することを特徴とする請求項１記載のストラップ取付構造。
【請求項３】
前記ストラップ取付部材が第２の位置に移動されたことを検出する第２の検出手段を設けたことを特徴とする請求項１または２記載のストラップ取付構造。
【請求項４】
携帯型の電子機器に用いられるストラップ取付構造において、
前記ストラップが取り付けられて、電子機器の本体部に組付けられるストラップ取付部材と、
前記ストラップによる電子機器の吊り下げ方向において、少なくとも、ストラップ取付部材が本体部から引き出される第１の位置と、ストラップ取付部材が本体部内に押し込まれる第３の位置と、この第１の位置と第３の位置の間に設定される第２の位置との間で該ストラップ取付部材が移動自在となるようにガイドするガイド手段と、
前記ストラップ取付部材を第２の位置に向けて付勢するとともに、少なくとも、ストラップ取付部材を第１の位置から第２の位置に付勢する際の付勢力が、ストラップによって吊り下げられたときの電子機器の重量に抗し得ない付勢力である付勢手段と、
前記ストラップ取付部材の位置を検出する検出手段とを備えることを特徴とするストラップ取付構造。
【請求項５】
請求項１または２記載のストラップ取付構造を用いる電子機器において、
前記第１の検出手段は、電子機器の電源をオン／オフする電源スイッチであり、該第１の検出手段によってストラップ取付部材が検出されたときに電子機器の電源をオンさせる電源オン処理と、第１の検出手段によってストラップ取付部材が検出されなくなったときに電子機器の電源をオフさせる電源オフ処理とを行う制御手段を備えることを特徴とする電子機器。
【請求項６】
請求項３記載のストラップ取付構造を用いる電子機器において、
前記第１の検出手段及び第２の検出手段は、電子機器の電源をオン／オフする電源スイッチであり、該第１の検出手段によってストラップ取付部材が検出されたときに電子機器の電源をオンさせる電源オン処理と、該第２の検出手段によってストラップ取付部材が検出されたときに電子機器の電源をオンさせかつ省電力モードに移行させる省電力処理と、第１の検出手段及び第２の検出手段によってストラップ取付部材が検出されなくなったときに電子機器の電源をオフさせる電源オフ処理とを行う制御手段を備えることを特徴とする電子機器。
【請求項７】
前記電子機器は、撮影光学系と、撮影光学系によって結像された画像を撮像する撮像素子と、撮影した画像を再生表示する表示手段とを備える撮影装置であって、前記制御手段は、省電力処理時に撮影及び画像再生に関する部品への給電を行わないことを特徴とする請求項６記載の電子機器。
【請求項８】
前記撮影装置は、撮影光学系が組み込まれたレンズ鏡筒と、このレンズ鏡筒を撮影装置から突出させる使用位置と、撮影装置内に沈胴させる不使用位置との間で移動させる移動機構とを備え、前記制御手段は、省電力処理時にレンズ鏡筒を不使用位置に沈胴させることを特徴とする請求項７記載の電子装置。
【請求項９】
請求項４記載のストラップ取付構造を用いる電子機器において、
前記ストラップ取付部材は、電子機器において特定の操作を行う際に操作者の手に押されて第３の位置に移動される位置に取り付けられることを特徴とする電子機器。
【請求項１０】
前記検出手段は、電子機器の電源をオン／オフする電源スイッチであり、該検出手段によってストラップ取付部材が第１の位置で検出されたときに電子機器の電源をオフさせる電源オフ処理と、該検出手段によってストラップ取付部材が第２の位置で検出されたときに電子機器の電源をオンさせ、かつ第１のモードに移行させる第１のモード移行処理と、検出手段によってストラップ取付部材が第３の位置で検出されたときに電子機器の電源をオンさせ、かつ第２のモードに移行させる第２のモード移行処理とを行う制御手段を備えることを特徴とする請求項９記載の電子機器。
【請求項１１】
前記電子機器は、撮影光学系と、撮影光学系によって結像された画像を撮像する撮像素子と、撮影した画像を再生表示する表示手段とを備える撮像装置であって、
前記第１のモードは、撮影した画像を表示手段によって表示する再生モードであり、前記第２のモードは、撮影を行う撮影モードであることを特徴とする請求項１０記載の電子機器。
【発明の詳細な説明】
【技術分野】
【０００１】
本発明は、ストラップの取り付けに用いられるストラップ取付構造と、このストラップ取付構造を用いた電子機器とに関する。
【背景技術】
【０００２】
一般に、電子機器には電源を入れるためのスイッチが設けられており、そのスイッチを操作することにより、電子機器の電源のＯＮとＯＦＦの切り替えが行なわれる。また、携帯性に富んだ電子機器、例えばデジタルカメラ等は、内蔵した電池によって電力を得るため、電源の切り忘れによって電池が消耗するという問題がある。更に、沈胴式のレンズ鏡筒を有するデジタルカメラでは、電源の切り忘れによってレンズ鏡筒が繰り出されたままとなるため、破損の危険性が高くなる。
【０００３】
そこで、特許文献１記載のデジタルカメラでは、デジタルカメラを吊り下げて携行する際に使用されるストラップの張力を検出する張力センサと、吊り下げられた状態時のデジタルカメラの姿勢を検出する傾斜センサとを設け、デジタルカメラがストラップによって吊り下げられたときに電源をオフさせている。また、特許文献２記載のデジタルカメラでは、ストラップ取付け部材にカメラの自重を検出するスイッチを設け、撮影状態であるデジタルカメラがストラップによって吊り下げられてスイッチがオンしたときに、レンズ鏡筒を沈胴させるようにしている。
【特許文献１】特開２００４−２２１９４３号公報
【特許文献２】特開２００４−０２９０９３号公報
【発明の開示】
【発明が解決しようとする課題】
【０００４】
しかしながら、特許文献１及び特許文献２記載のデジタルカメラは、デジタルカメラがストラップにより吊り下げられた状態になることによって電源をオフさせることはできるものの、電源をオンさせる時には手動で電源スイッチを操作しなければならない。そのため、電源スイッチを操作する分だけ撮影のタイミングが遅くなり、シャッターチャンスを逃す懸念がある。
【０００５】
また、ストラップによって吊り下げられていないときに電源がオンするように構成することは可能であるが、ユーザーによってはストラップによって吊り下げられているときでもデジタルカメラの電源をオンさせておきたい、あるいは、ストラップによって吊り下げられてないときでも電源をオフさせておきたいという要望がある。これを実現するには、ストラップの張力を検出するスイッチとは別に電源スイッチを設けることも考えられるが、コストアップとなる。
【０００６】
本発明は、ストラップによる電子機器の保持状態を検出して、またはユーザーの選択によって電源をオン／オフさせることができるストラップ取付構造と、このストラップ取付構造を用いた電子機器とを提供することを目的とする。
【課題を解決するための手段】
【０００７】
上記課題を解決するために、請求項１記載のストラップ取付構造は、ストラップが取り付けられて電子機器の本体部に組付けられるストラップ取付部材と、ストラップによる電子機器の吊り下げ方向において、少なくとも、ストラップ取付部材が本体部から引き出される第１の位置と、ストラップ取付部材が本体部内に押し込まれる第３の位置と、この第１の位置と第３の位置の間に設定される第２の位置との間でストラップ取付部材が移動自在となるようにガイドするガイド手段と、ストラップ取付部材を第３の位置に向けて付勢するとともに、ストラップによって吊り下げられたときの電子機器の重量に抗し得ない付勢力を有する付勢手段と、付勢手段の付勢力に抗してストラップ取付部材を第１の位置で保持し、かつストラップによって電子機器が吊り下げられたときの重量に抗してストラップ取付部材を第２の位置で保持するとともに、付勢力または電子機器の重量以上の力がストラップ取付部材に加えられたときにストラップ取付部材の保持を解除する保持手段と、ストラップ取付部材が第３の位置に移動されたことを検出する第１の検出手段とから構成したものである。
【０００８】
また、請求項２記載のストラップ取付構造は、請求項１記載の保持手段として、ストラップ取付部材に当接して第１の位置と第２の位置で保持する弾性部材を用い、付勢部材の付勢力、または電子機器の重量以上の力がストラップ取付部材に加えられたときに弾性変形して、ストラップ取付部材の保持を解除するようにしたものである。
【０００９】
請求項３記載のストラップ取付構造は、ストラップ取付部材が第２の位置に移動されたことを検出する第２の検出手段を設けたものである。
【００１０】
また、請求項４記載のストラップ取付構造は、ストラップが取り付けられるストラップ取付部材と、ストラップによる電子機器の吊り下げ方向においてストラップ取付部材に設けられた回動軸と、回動軸の外周に設けられた少なくとも２つの突出片と、電子機器の本体部に設けられて回動軸が挿入される開口と、開口に連なって設けられ、前記突出片が挿入される切欠と、ストラップ取付部材を本体部内に引き込む方向に付勢するとともに、ストラップによって吊り下げられたときの電子機器の重量に抗し得ない付勢力を有する付勢手段と、ストラップ取付部材が特定の位置にあることを検出する検出手段とを備え、ストラップ取付部材は、突出片が切欠に合致されているときに、付勢手段の付勢に抗して回動軸が開口から引き出される第１の位置と、回動軸が開口内に押し込まれる第２の位置との間で移動自在とされ、かつ第１の位置にあるときに突出片が切欠に合致しないように回動される第１の状態と、第２の位置にあるときに突出片が切欠に合致しないように回動される第２の状態とを有し、検出手段は、第２の位置にあるストラップ取付部材を検出するようにしたものである。
【００１１】
更に、請求項５記載のストラップ取付構造は、ストラップが取り付けられて電子機器の本体部に組付けられるストラップ取付部材と、ストラップによる電子機器の吊り下げ方向において、少なくとも、ストラップ取付部材が本体部から引き出される第１の位置と、ストラップ取付部材が本体部内に押し込まれる第３の位置と、この第１の位置と第３の位置の間に設定される第２の位置との間で該ストラップ取付部材が移動自在となるようにガイドするガイド手段と、ストラップ取付部材を第２の位置に向けて付勢するとともに、少なくとも、ストラップ取付部材を第１の位置から第２の位置に付勢する際の付勢力が、ストラップによって吊り下げられたときの電子機器の重量に抗し得ない付勢力である付勢手段と、ストラップ取付部材の位置を検出する検出手段とから構成したものである。
【００１２】
また、請求項６記載の電子機器は、請求項１または２記載のストラップ取付構造を用いる電子機器において、第１の検出手段を電子機器の電源をオン／オフする電源スイッチとして使用するものである。また、第１の検出手段によってストラップ取付部材が検出されたときに電子機器の電源をオンさせる電源オン処理と、第１の検出手段によってストラップ取付部材が検出されなくなったときに電子機器の電源をオフさせる電源オフ処理とを行う制御手段を設けたものである。
【００１３】
請求項７記載の電子機器は、請求項３記載のストラップ取付構造を用いる電子機器において、第１の検出手段及び第２の検出手段を電子機器の電源をオン／オフする電源スイッチとして使用するものである。また、第１の検出手段によってストラップ取付部材が検出されたときに電子機器の電源をオンさせる電源オン処理と、第２の検出手段によってストラップ取付部材が検出されたときに電子機器の電源をオンさせかつ省電力モードに移行させる省電力処理と、第１の検出手段及び第２の検出手段によってストラップ取付部材が検出されなくなったときに電子機器の電源をオフさせる電源オフ処理とを行う制御手段を設けたものである。
【００１４】
また、電子機器が、撮影光学系と、撮影光学系によって結像された画像を撮像する撮像素子と、撮影した画像を再生表示する表示手段とを備える撮影装置である場合には、制御手段は、省電力処理時に撮影及び画像再生に関する部品への給電を行わないようにしたものである。更に、撮影装置が、撮影光学系が組み込まれたレンズ鏡筒と、このレンズ鏡筒を撮影装置から突出させる使用位置と、撮影装置内に沈胴させる不使用位置との間で移動させる移動機構とを備えている場合には、制御手段は、省電力処理時にレンズ鏡筒を不使用位置に沈胴させるようにしたものである。
【００１５】
また、請求項１０記載の電子機器は、請求項４記載のストラップ取付構造を用いる電子機器において、検出手段を電子機器の電源をオン／オフする電源スイッチとして使用するものである。更に、検出手段によってストラップ取付部材が検出されたときに電子機器の電源をオンさせる電源オン処理と、検出手段によってストラップ取付部材が検出されなくなったときに電子機器の電源をオフさせる電源オフ処理とを行う制御手段を設けたものである。
【００１６】
請求項１１記載の電子機器は、ストラップ取付部材の取付位置として、電子機器において特定の操作を行う際に操作者の手に押されて第３の位置に移動される位置を用いたものである。また、検出手段を電子機器の電源をオン／オフする電源スイッチとして使用するものである。
【００１７】
更に、検出手段によってストラップ取付部材が第１の位置で検出されたときに電子機器の電源をオフさせる電源オフ処理と、検出手段によってストラップ取付部材が第２の位置で検出されたときに電子機器の電源をオンさせ、かつ第１のモードに移行させる第１のモード移行処理と、検出手段によってストラップ取付部材が第３の位置で検出されたときに電子機器の電源をオンさせ、かつ第２のモードに移行させる第２のモード移行処理とを行うようにしたものである。また、電子機器が、撮影光学系と、撮影光学系によって結像された画像を撮像する撮像素子と、撮影した画像を再生表示する表示手段とを備える撮像装置である場合には、第１のモードは、撮影した画像を表示手段によって表示する再生モードとし、第２のモードは、撮影を行う撮影モードとしたものである。
【発明の効果】
【００１８】
請求項１記載のストラップ取付構造は、ストラップで電子機器を吊り下げないときには、付勢手段の付勢力によってストラップ取付部材を第３の位置に移動させることができる。また、ストラップで電子機器を吊り下げたときには、保持手段の保持力によってストラップ取付部材を第２の位置に保持することができる。更に、保持手段の保持力により、電子機器の状態に関係なくストラップ取付部材を第１の位置で保持することができる。そして、このストラップ取付構造を請求項６記載の電子機器に用いた場合、ストラップで電子機器を吊り下げたときに電子機器の電源をオフさせることができる。また、ストラップによる吊り下げをやめたときには、電子機器の電源をオンさせることができる。更に、ストラップ取付部材を第１の位置で保持させることにより、電子機器の状態に関係なく電源オフ状態とすることができる。これにより、電子機器の状態、またはユーザーの選択によって電子機器のオン／オフを制御することができる。また、ストラップ取付部材を検出する検出手段以外のスイッチを使用しないため、ローコストである。
【００１９】
また、保持手段として弾性部材を用いたのでローコストであり、構造も簡単なので高い動作信頼性を得ることができる。
【００２０】
更に、請求項３記載のストラップ取付構造のように、ストラップ取付部材を第２の位置で検出する第２の検出手段を設けることにより、請求項７記載の電子機器のように、ストラップ取付部材が第２の位置にあるときに、電子機器を省電力モードにセットすることができる。これにより、ストラップ取付部材が第２の位置から第３の位置に移動したときに、電子機器が省電力モードから通常の動作モードに復帰することになるので、電子機器の起動時間を短縮することができる。また、電子機器が撮影装置である場合、省電力モードでは撮影及び画像再生に関する部品への給電を停止するようにしたので、電源の消費を抑えることができる。また、沈胴式のレンズ鏡筒を有する場合には、省電力モードでレンズ鏡筒を沈胴させるようにしたので、レンズ鏡筒の破損を防止することができる。
【００２１】
また、請求項４記載のストラップ取付構造は、ストラップ取付部材の突出片が、電子機器の本体部の切欠に合致している状態で、ストラップで電子機器を吊り下げない場合には、付勢手段の付勢力によってストラップ取付部材を第２の位置に移動させることができる。また、同状態でストラップで電子機器を吊り下げたときには、電子機器の重さによってストラップ取付部材を第１の位置に移動させることができる。更に、第１の位置及び第２の位置にあるときに、突出片が切欠に合致しないようにストラップ取付部材を回動させた場合には、電子機器の状態に関係なく、ストラップ取付部材を各位置で保持することができる。このストラップ取付構造を請求項１０記載の電子機器に用いた場合、ストラップで電子機器を吊り下げたときに電子機器の電源をオフさせることができる。また、ストラップによる吊り下げをやめたときには、電子機器の電源をオンさせることができる。更に、ストラップ取付部材を第１の位置と第２の位置とで保持させることにより、電子機器の状態に関係なく電源をオンまたはオフに保持することができる。これにより、電子機器の状態、またはユーザーの選択によって電子機器のオン／オフを制御することができる。また、ストラップ取付部材を検出する検出手段以外のスイッチを使用しないため、ローコストである。
【００２２】
請求項５記載のストラップ取付構造は、ストラップで電子機器を吊り下げないときには、付勢手段の付勢力によってストラップ取付部材を第２の位置に移動させることができる。また、ストラップで電子機器を吊り下げたときには、ストラップ取付部材を第１の位置に移動させることができる。更に、ストラップ取付部材が本体部内に押し込むことによって第３の位置に移動させることができる。そして、このストラップ取付構造を請求項１１、１２記載の電子機器に用いた場合、ストラップで電子機器を吊り下げたときに電子機器の電源をオフさせることができる。また、ストラップによる吊り下げをやめたときには、電子機器を第１のモードに移行させることができる。更に、ストラップ取付部材を第３の位置に移動させた場合には、第２のモードに移行させることができる。これにより、電子機器の保持状態に応じて、電子機器のオン／オフ、及びモード選択を行うことができるので、電子機器が操作可能になるまでの時間を短縮することができる。また、この電子機器が撮影装置である場合には、ストラップによる電子機器の保持状態に応じて、再生モードまたは撮影モードを選択することができ、迅速に撮影または画像再生を行うことができる。
【発明を実施するための最良の形態】
【００２３】
図１に示すように、本発明のストラップ取付構造を用いたデジタルカメラ１０は、その前面に撮影レンズ１１が組み込まれたレンズ鏡筒１２と、ストロボ発光部１３とが設けられている。レンズ鏡筒１２は、本体部１４内に収納される不使用位置と、本体部１４の開口１５から突出される使用位置との間で移動される沈胴式である。レンズ鏡筒１２が不使用位置にあるときには、開口１５はレンズバリア１６によって塞がれている。
【００２４】
デジタルカメラ１０の上面には、シャッタボタン１９と、モード切換えダイヤル２０とが設けられている。モード切換えダイヤル２０は、撮影モード、再生モード等のモード切換えに使用される。デジタルカメラ１０の一方の側面には、紐状のストラップ２２が取り付けられるストラップ取付部材２３が設けられている。また、他方の側面には、メモリカード２５が挿入されるカードスロット２６が設けられている。
【００２５】
デジタルカメラ１０の背面には、撮影時のビューファインダとして機能するとともに、撮影済み画像の再生表示に用いられる液晶パネル２９と、各種操作に用いられるカーソルキー３０と、ズーム倍率の変更に使用されるズームボタン３１とが設けられている。図２に示すように、このデジタルカメラ１０は、撮影や再生表示を行わない不使用時には、ストラップ２２によって吊り下げられて携行される。
【００２６】
図３に示すように、デジタルカメラ１０は、フォーカスレンズ、ズームレンズ、絞り機構等から構成されるレンズ鏡筒１２と、このレンズ鏡筒１２を使用位置と不使用位置との間で移動させる移動機構３９と、レンズ鏡筒１２によって結像された画像を撮像するＣＣＤ３５と、ＣＣＤ３５から出力される撮像信号に各種アナログ処理を施すアナログ処理回路３６と、撮像信号をデジタルの画像信号に変換するＡ／Ｄ変換回路３７と、変換された画像信号を画像処理して、かつ圧縮符号化するデジタル処理回路３８と、処理された画像データを記憶するメモリカード２５とを備えている。
【００２７】
また、デジタルカメラ１０は、ストロボ発光部１３を制御するストロボ制御部４２と、露出及びピント位置を決定し、これに基づいてレンズ鏡筒１２を動作させる測光・測距ＣＰＵ４３と、デジタルカメラ１０全体の制御を行う制御手段であるメインＣＰＵ４４と、各ブロックに電源を供給する電池４５とを備えている。メインＣＰＵ４４には、ＲＯＭ４６が接続されており、このＲＯＭ４６には、メインＣＰＵ４４に読み出されてデジタルカメラ１０の制御に用いられる制御プログラムが記憶されている。
【００２８】
［第１の実施形態］
次に、本発明のストラップ取付構造の第１の実施形態について説明する。図４に示すように、ストラップ取付部材２３は、本体部１４に設けられた開口部１４ａから突出されるストラップ挿通部５０と、本体部１４内に配置される取付本体部５１とから構成されている。ストラップ挿通部５０には、ストラップ２２が挿通される穴５０ａが形成されており、取付本体部５１に対して回動自在となるように結合されている。また、取付本体部５１には、ストラップ取付部材２３が本体部１４から抜け落ちないように係止する抜け止め部材５２が取り付けられている。
【００２９】
本体部１４内には、開口部１４ａに向かって突設されたガイド突起５５が設けられている。取付本体部５１の底面には、ガイド突起５５が挿入されるガイド穴５６が設けられている。このガイド突起５５とガイド穴５６とがガイド手段を構成し、ストラップ取付部材２３がストラップ２２による吊り下げ方向において移動自在となるようにガイドする。
【００３０】
これにより、ストラップ取付部材２３は、図４（Ａ）に示すように、本体部１４から引き出される第１の位置と、同図（Ｃ）に示すように、本体部１４内に押し込まれる第３の位置と、同図（Ｂ）に示すように、第１の位置と第３の位置との間に設定された第２の位置との間で移動する。
【００３１】
取付本体部５１の下端には、当接突起５９とスイッチング突起６０とが設けられている。本体部１４内のガイド突起５５の近傍には、保持手段である弾性部材６１と、第１の検出手段である第１スイッチ６２とが配置されている。弾性部材６１は、例えば金属製の板バネの先端が円弧状に屈曲されたもので、ストラップ取付部材２３が第１の位置及び第２の位置に移動されたときに、当接突起５９に屈曲部６１ａを当接させてストラップ取付部材２３の移動を阻止する。
【００３２】
第１スイッチ６２は、ストラップ取付部材２３が第３の位置に移動されたときに、スイッチング突起６０に押圧されてオンする。この第１スイッチ６２は、デジタルカメラ１０の電源スイッチであり、メインＣＰＵ４４に接続されている。メインＣＰＵ４４は、第１スイッチ６２がオンしたときに、デジタルカメラ１０を起動させる電源オン処理を実行し、第１スイッチ６２がオフしたときには、電源オフ処理を実行する。
【００３３】
取付本体部５１は、付勢手段である２本のバネ６５により、本体部１４内に引き込まれる方向に付勢されている。このバネ６５は、デジタルカメラ１０の重量に抗し得ない付勢力を有している。そのため、ストラップ２２によってデジタルカメラ１０を吊り下げたときには、バネ６５はデジタルカメラ１０の重量によって伸びてしまい、ストラップ取付部材２３は本体部１４から引き出される方向に移動する。
【００３４】
弾性部材６１は、バネ６５の付勢力による当接突起５９の押圧と、デジタルカメラ１０の重量が加えられた当接突起５９による押圧とに抗し得る弾性力を有している。そして、この弾性力以上の力でストラップ取付部材２３が動かされたときに、当接突起５９に押圧されて弾性変形する。
【００３５】
次に、上記第１実施形態の作用について説明する。デジタルカメラ１０を使用しないときには、ストラップ２２を強い力、具体的には、弾性部材６１の弾性力以上の力で引っ張り、ストラップ取付部材２３を図４（Ａ）に示す第１の位置に移動させる。ストラップ取付部材２３は、バネ６５によって本体部１４内に引き込まれる方向に付勢されるが、弾性部材６１の弾性力はバネ６５の付勢力よりも強いため、ストラップ取付部材２３が第２の位置及び第３の位置に移動することはない。これにより、第１スイッチ６２がオンすることはないので、デジタルカメラ１０のオフ状態が維持される。
【００３６】
デジタルカメラ１０で撮影を行うことを目的として携行するときには、ストラップ取付部材２３を強い力、具体的には、弾性部材６１の弾性力以上の力で押圧して本体部１４内に押し込み、弾性部材６１を弾性変形させて当接突起５９を第２の位置に移動させる。この状態で、ストラップ２２を持ってデジタルカメラ１０を吊り下げると、バネ６５はデジタルカメラ１０の重量によって延びるため、ストラップ取付部材２３は、図４（Ｂ）に示す第２の位置で保持される。この第２の位置では、第１スイッチ６２はオンされないため、デジタルカメラ１０は電源オフ状態で保持される。
【００３７】
例えば、撮影を行うためにデジタルカメラ１０を、持ち上げると、バネ６５にデジタルカメラ１０の重量がかからなくなるため、バネ６５の付勢力によってストラップ取付部材２３は第３の位置に移動する。このときに、スイッチング突起６０により第１スイッチ６２がオンされる。メインＣＰＵ４４は、第１スイッチ６２のオン信号が入力されたときに、デジタルカメラ１０を起動させる電源オン処理を実行する。これにより、デジタルカメラ１０が撮影を行える状態となる。
【００３８】
この第１の実施形態のデジタルカメラ１０によれば、ストラップ２２によるデジタルカメラ１０の吊り下げ状態によって電源のオン／オフを行うことができるとともに、ユーザーの選択によって、電源がオフされた状態で保持することもできる。
【００３９】
［第２の実施形態］
また、上記実施形態では、ストラップ取付部材の第３の位置への移動のみを検出するようにしたが、例えば、第２の位置にあるストラップ取付部材も検出してもよい。以下、第２の位置にあるストラップ取付部材を検出するようにした第２の実施形態について説明するが、第１の実施形態と同じ部品については、詳しい説明は省略する。
【００４０】
図５に示すように、デジタルカメラの本体部７０内に、第１スイッチ７１と並んで第２の検出手段である第２スイッチ７２を配置する。また、ストラップ取付部材７３のスイッチング突起７４は、第３の位置に移動されたときに、第１スイッチ７１と第２スイッチ７２とを同時に押圧できるように、先端を屈曲させておく。
【００４１】
図６に示すように、メインＣＰＵ７７には、第１スイッチ７１とともに第２スイッチ７２を接続する。メインＣＰＵ７７は、第１スイッチ７１からオン信号が入力されたときには、第１の実施形態と同様にデジタルカメラを起動させる電源オン処理を実行する。また、第２スイッチ７２からオン信号が入力されたときには、デジタルカメラの電源をオンさせ、かつ省電力モードに移行させる。このメインＣＰＵ７７による制御内容は、ＲＯＭ７８に記憶されている動作プログラムを変更することにより、容易に変更することができる。
【００４２】
なお、省電力モードとは、デジタルカメラは起動しているものの、撮影や画像再生等に関する部品、例えばＣＣＤ８１や、測光・測距ＣＰＵ８２、液晶パネル８３への給電を行わないモードである。これにより、消費電力を抑えることができる。また、デジタルカメラを起動するよりも短時間で撮影モードや再生モードに移行することができるので、撮影開始までの時間を短縮することができる。
【００４３】
図５（Ａ）に示すように、ストラップ取付部材７３が第１の位置に移動したときには、第１スイッチ７１，第２スイッチ７２ともオフになるので、デジタルカメラはオフとなる。また、同図（Ｂ）に示すように、ストラップ取付部材７３が第２の位置に移動したときには、第２スイッチ７２がオンされるので、メインＣＰＵ７７はデジタルカメラの電源をオンさせ、かつ省電力モードに移行する。更に、同図（Ｃ）に示すように、ストラップ取付部材７３が第３の位置に移動したときには、第１スイッチ７１がオンされるので、メインＣＰＵ７７はデジタルカメラを起動させる電源オン処理を実行する。
【００４４】
この実施形態によれば、ストラップによる吊り下げ状態に応じてデジタルカメラの電源をオン／オフすることができるだけでなく、省電力モードへのセットもできるので、ユーザーによる操作性を向上させることができる。なお、電源オン状態から省電力モードに移行するときには、メインＣＰＵ７７により移動機構８６を制御して、レンズ鏡筒８７を不使用位置に沈胴させてもよい。また、ポップアップ式のストロボ発光部等を有する場合には、これを収納位置に移動させてもよい。
【００４５】
［第３の実施形態］
また、上記第１実施形態及び第２実施形態では、ストラップ取付部材を電源オフの位置でロックできるようにしたが、電源オンの位置でもロックできるようにすることができる。以下、電源オン及びオフの位置でストラップ取付部材をロックできるようにした第３の実施形態について説明するが、第１及び第２の実施形態と同じ部品については、詳しい説明は省略する。
【００４６】
図７及び図８に示すように、ストラップ取付部材９０の取付本体部９１の下部には、円柱形状の回動軸９２が形成されている。この回動軸９２の中間付近には、半径方向に突出された一対の突出片９３が形成されている。回動軸９２の下端は、デジタルカメラの本体部９４内においてバネ９５に接続されている。バネ９５は、デジタルカメラの重量に抗し得ない付勢力を有している。
【００４７】
本体部９４には、回動軸９２が回動自在に挿入される開口部９６と、この開口部９６に連なって形成されて一対の突出片９３が挿入される一対の切欠９７とが形成されている。ストラップ取付部材９０の回動軸９２及び突出片９３は、この開口部９６及び切欠９７から本体部９４内に挿入される。
【００４８】
ストラップ取付部材９０は、突出片９３が切欠９７に合致するように回動されたときに、図８（Ａ）に示すように、本体部９４から引き出される第１の位置と、同図（Ｂ）に示すように、本体部９４内に押し込まれる第２の位置との間で移動自在となる。本体部９４内には、ストラップ取付部材９０が第２の位置に移動したときに、回動軸９２の下端によって押圧されてオンするスイッチ１００が組み込まれている。このスイッチ１００は、第１の実施形態の第１スイッチ６２と同様にデジタルカメラの電源スイッチであり、メインＣＰＵは、スイッチ１００がオンしたときに電源オン処理を実行し、スイッチ１００がオフしたときに電源オフ処理を実行する。
【００４９】
ストラップ取付部材９０は、デジタルカメラがストラップ１０３で吊り下げられていないときには、バネ９５の付勢力によって第２の位置に移動され、回動軸９２の下端でスイッチ１００を押圧してオンさせる。これにより、デジタルカメラの電源がオンされる。また、デジタルカメラがストラップ１０３によって吊り下げられたときには、バネ９５がデジタルカメラの重量によって延びることにより、ストラップ取付部材９０は第１の位置に移動する。このとき、スイッチ１００はオフするため、デジタルカメラの電源はオフされる。
【００５０】
また、デジタルカメラの電源をオフさせた状態でロックする場合には、図９（Ａ）に示すように、ストラップ取付部材９０を第１の位置で９０°回動させ、突出片９３が切欠９７に合致しない第１の状態にセットする。これにより、ストラップ取付部材９０はバネ９５の付勢力によって第２の位置に移動しないので、デジタルカメラは電源オフの状態で保持される。
【００５１】
また、デジタルカメラの電源をオンさせた状態でロックする場合には、図９（Ｂ）に示すように、ストラップ取付部材９０を第２の位置で９０°回動させ、突出片９３が切欠９７に合致しない第２の状態にセットする。これにより、ストラップ１０３によってデジタルカメラが吊り下げられても、ストラップ取付部材９０が第１の位置に移動しないので、デジタルカメラは電源オンの状態で保持される。
【００５２】
この実施形態によれば、ストラップによる吊り下げ状態に応じてデジタルカメラの電源をオン／オフすることができるだけでなく、電源オン状態及びオフ状態でロックすることもできるので、ユーザーによる操作性を向上させることができる。
【００５３】
［第４の実施形態］
また、上記第１〜３の実施形態では、ストラップによる吊り下げ状態、及びユーザーによる選択的操作によってストラップ取付部材を移動させるようにしたが、デジタルカメラを使用する際の把持状態によってストラップ取付部材が移動されるようにしてもよい。以下、第４の実施形態について説明するが、第１〜３の実施形態と同じ部品については、詳しい説明は省略する。
【００５４】
図１０（Ａ）に示すように、ストラップ取付部材１１０は、デジタルカメラ１１１を背面側から見て、右側の側面に取り付けられている。このストラップ取付部材１１０の取付位置は、例えば、デジタルカメラ１１１によって撮影済画像の再生を行う際に、ユーザーの右手１１２が接触しない、あるいはストラップ取付部材１１０に強く押し付けられない位置である。また、同図（Ｂ）に示すように、デジタルカメラ１１１によって撮影を行う際には、ユーザーの右手１１２によって押圧される位置となる。
【００５５】
ストラップ取付部材１１０は、図１１（Ａ）に示すように、デジタルカメラ１１１の本体部１１５から引き出される第１の位置と、同図（Ｃ）に示すように、本体部１１５内に押し込まれる第３の位置と、同図（Ｂ）に示すように第１の位置と第３の位置との中間に設定された第２の位置との間で移動自在とされている。
【００５６】
ストラップ取付部材１１０の取付本体部１１８には、ストラップ取付部材１１０の移動方向に直交する付勢突起１１９が設けられている。この付勢突起１１９は、支持軸１２０によって支持され、中立突起１２１により位置決めされた松葉バネ１２２によって挟み込まれている。これにより、ストラップ取付部材１１０は、松葉バネ１２２に付勢されて第２の位置で保持される。松葉バネ１２２は、デジタルカメラ１１１の重量に抗し得ない付勢力を有している。
【００５７】
また、取付本体部１１８には、一対のスイッチング突起１２５が形成されており、これらのスイッチング突起１２５の間には、三叉スイッチ１２６のスイッチングレバー１２７が挿入されている。スイッチングレバー１２７は、ストラップ取付部材１１０の移動によりスイッチング突起１２５に押圧され、図１１（Ａ）に示第１オン状態と、同図（Ｂ）に示すオフ状態と、同図（Ｃ）に示す第２オン状態の間で揺動される。この三叉スイッチ１２６は、デジタルカメラ１１１の電源スイッチであり、メインＣＰＵは、三叉スイッチ１２６がオフ状態となったときに、電源オフ処理を実行する。また、三叉スイッチ１２６が第１オン状態のときには、デジタルカメラの電源オン処理を実行するとともに、再生モードにセットする。更に、三叉スイッチ１２６が第２オン状態になったときには、電源オン処理を実行し、かつ撮影モードにセットする。
【００５８】
ストラップ取付部材１１０は、デジタルカメラ１１１がストラップ１３０で吊り下げられたときに、松葉バネ１２２の付勢力に抗して第１の位置に移動する。このときの三叉スイッチ１２６はオフ状態となるため、デジタルカメラ１１１の電源はオフされる。また、図１０（Ａ）に示すように、デジタルカメラ１１１で撮影済の画像を再生する場合には、ストラップ取付部材１１０は、松葉バネ１２２の付勢力によって第２の位置に移動される。このときの三叉スイッチ１２６は第１オン状態となるため、電源がオンされかつ再生モードにセットされる。更に、同図（Ｂ）に示すように、デジタルカメラ１１１で撮影を行う際には、ユーザーの手１１２によりストラップ取付部材１１０が押圧されるので、松葉バネ１２２の付勢力に抗して第３の位置に移動される。このときの三叉スイッチ１２６は第２オン状態となるため、電源がオンされかつ撮影モードにセットされる。
【００５９】
この実施形態によれば、ストラップによる吊り下げ状態に応じてデジタルカメラの電源をオフすることができるだけでなく、デジタルカメラの把持状態によって電源オンさせ、かつその把持状態に適合した動作モードにセットすることができるので、ユーザーによる操作性を向上させることができる。
【００６０】
なお、上記各実施形態では、デジタルカメラを例に説明したが、本発明は、携帯電話機など、その他の携帯用の電子機器にも適用することができる。
【図面の簡単な説明】
【００６１】
【図１】デジタルカメラの外観斜視図である。
【図２】デジタルカメラがストラップによって吊り下げられた状態を示す正面図である。
【図３】デジタルカメラの構成を示すブロック図である。
【図４】第１の実施形態のストラップ取付構造を示す断面図である。
【図５】第２の実施形態のストラップ取付構造を示す断面図である。
【図６】第２の実施形態のストラップ取付構造を用いたデジタルカメラの構成を示すブロック図である。
【図７】第３の実施形態のストラップ取付構造のストラップ取付部材を示す外観斜視図である。
【図８】第３の実施形態のストラップ取付構造の断面図である。
【図９】第３の実施形態のストラップ取付構造において、ストラップ取付部材がロックされた状態を示す断面図である。
【図１０】第４の実施形態のストラップ取付構造を用いたデジタルカメラの把持状態を示す背面図である。
【図１１】第４の実施形態のストラップ取付構造の断面図である。
【符号の説明】
【００６２】
１０，１１１  デジタルカメラ
１２，８７  レンズ鏡筒
１４，７０，１１５  本体部
２２，１０３，１３０  ストラップ
２３，７３，９０，１１０  ストラップ取付部材
２９，８３  液晶パネル
３９，８６  移動機構
４４  メインＣＰＵ
５５  ガイド突起
５６  ガイド穴
６１  弾性部材
６２，７１  第１スイッチ
６５，９５  バネ
７２  第２スイッチ
９２  回動軸
９３  突出片
９６  開口部
９７  切欠
１００  スイッチ
１１９  付勢突起
１２２  松葉バネ
１２６  三叉スイッチ
【図１】
0004652265.tif 000002
【図２】
0004652265.tif 000003
【図３】
0004652265.tif 000004
【図４】
0004652265.tif 000005
【図５】
0004652265.tif 000006
【図６】
0004652265.tif 000007
【図７】
0004652265.tif 000008
【図８】
0004652265.tif 000009
【図９】
0004652265.tif 000010
【図１０】
0004652265.tif 000011
【図１１】
0004652265.tif 000012